(57)【要約】【課題】運転監視室に設置される運転監視画面イメージを保持しつつ、複数の監視箇所、操作箇所を簡単な操作で表示することができるプラント運転監視装置を提供する。【解決手段】プラントの運転監視画面内に表示する作画の作画識別ＩＤごとに、監視対象の位置座標が複数登録されている位置定義データ３を記憶する記憶部９と、運転監視画面には、監視対象を所定位置になるように作画を表示することを指示する移動ボタンを有し、表示入力装置８から作画識別ＩＤが入力されると、入力された作画識別ＩＤの作画を運転監視画面に表示し、移動ボタンが押下された場合、位置定義データ３に登録されている最初の位置座標を所定位置に合わせて表示された作画を移動して表示し、さらに、移動ボタンが押下された場合、位置定義データ３に登録されている次の位置座標を所定位置に合わせて、表示された作画を移動して表示する画面表示手段６を有する。【選択図】図１
2015026158.tif 000002
【特許請求の範囲】
【請求項１】
プラントの運転監視画面内に表示する作画の作画識別ＩＤごとに、監視対象の位置座標が複数登録されている位置座標情報が記憶される記憶部と、
表示装置に表示される前記運転監視画面には、前記監視対象を所定位置になるように作画を表示する指示を受け付ける移動ボタンを有し、入力装置から前記作画識別ＩＤが入力されると、前記入力された作画識別ＩＤの作画を前記運転監視画面に表示し、前記移動ボタンが押下された場合、前記位置座標情報に登録されている前記位置座標を前記所定位置に合わせて前記表示された作画を移動して表示し、さらに、前記移動ボタンが押下された場合、前記位置座標情報に登録されている次の前記位置座標を前記所定位置に合わせて、前記表示された作画を移動して表示する画面表示手段と、を有する
ことを特徴とするプラント運転監視装置。
【請求項２】
前記プラント運転監視装置は、携帯型端末である
ことを特徴とする請求項１に記載のプラント運転監視装置。
【請求項３】
前記位置座標情報には、３以上の位置座標が前記作画に関連付けられている
ことを特徴とする請求項１に記載のプラント運転監視装置。
【請求項４】
前記プラント運転監視装置は、さらに、
前記プラントからの出力信号を受信するとともに、前記プラントへの入力信号を送信するプラント入出力手段を有し、
前記画面表示手段は、前記受信した出力信号を、前記監視対象の位置座標の近傍に表示し、
前記プラント入出力手段は、前記入力手段から前記監視対象の操作入力があると、前記プラントへの出力信号を送信する
ことを特徴とする請求項１に記載のプラント運転監視装置。
【請求項５】
複数のディスプレイに表示するマルチディスプレイ装置用に作成される作画を対象とし、前記作画ごとに、前記ディスプレイを識別するディスプレイ識別ＩＤと監視対象の位置座標とが複数登録されている位置座標情報が記憶される記憶部と、
表示装置に表示される運転監視画面には、前記監視対象を所定位置になるように作画を表示する指示を受け付ける移動ボタンを有し、入力手段から前記ディスプレイ識別ＩＤが入力されると、前記入力されたディスプレイ識別ＩＤの作画を前記運転監視画面に表示し、前記移動ボタンが押下された場合、前記位置座標情報に登録されている前記ディスプレイ識別ＩＤの作画を、前記位置座標を前記所定位置に合わせて移動して表示し、さらに、前記移動ボタンが押下された場合、前記位置座標情報に登録されている次の前記ディスプレイ識別ＩＤの作画を、前記位置座標を前記所定位置に合わせて表示する画面表示手段と、を有する
ことを特徴とするプラント運転監視装置。
【請求項６】
プラントの運転監視画面内に表示する作画の作画識別ＩＤごとに、監視対象の位置座標が複数登録されている位置座標情報を記憶部に記憶しており、
表示装置に表示される前記運転監視画面には、前記監視対象を所定位置になるように作画を表示する指示を受け付ける移動ボタンを有し、
画面表示手段は、入力装置から前記作画識別ＩＤが入力されると、前記入力された作画識別ＩＤの作画を前記運転監視画面に表示し、前記移動ボタンが押下された場合、前記位置座標情報に登録されている前記位置座標を前記所定位置に合わせて前記表示された作画を移動して表示し、さらに、前記移動ボタンが押下された場合、前記位置座標情報に登録されている次の前記位置座標を前記所定位置に合わせて、前記表示された作画を移動して表示する
ことを特徴とするプラント運転監視画面の表示方法。
【発明の詳細な説明】
【技術分野】
【０００１】
本発明は、運転監視室に設置される運転監視画面イメージを保持したまま、プラント現場での現場作業時においても、現在値確認やプラント操作を容易に行うことができるプラント運転監視装置およびプラント運転監視画面の表示方法に関する。
【背景技術】
【０００２】
化学プラントや上下水プラントなどのプラント設備を運転監視するシステムにおいて、プラント設備に合わせたグラフィック画面は個別に作成される。このグラフィック画面の作画は、運転監視室に設置される運転監視装置の出力サイズに合わせて作成されている。
【０００３】
操作員は、近年のノート型パソコンやタブレット型パソコンなどの携帯型端末を利用して、プラント現場での現場作業時においても、前記のグラフィック画面を表示して、作業時の現在値確認やプラント操作を行っている。
【０００４】
特許文献１には、携帯型端末を使用した画面表示システムが開示されている。画面表示システムは、保守点検対象機器近傍に貼付され、固有識別情報と保守点検情報が記録された非接触型ＩＣタグ、およびこの非接触型ＩＣタグから固有識別情報を読取り、この読取った固有識別情報に対応する保守点検対象機器の状態を監視する監視画面を表示する携帯型端末を備えている。
【先行技術文献】
【特許文献】
【０００５】
【特許文献１】特開２００８-１９１７６９号公報
【発明の概要】
【発明が解決しようとする課題】
【０００６】
携帯型端末においても、運転監視室で常時見慣れた画面イメージで表示するのが望まれている。しかし、携帯型端末でのプラント現場における運転監視操作において、携帯型端末では、運転監視室の出力サイズより携帯型端末の出力サイズは小さいものが多く、グラフィック画面を縮小して表示している。また、携帯型端末の種類も多様化しており、複数の出力サイズが存在している状況である。
【０００７】
前記の場合、全体のイメージは掴み易いが、プラント設備個々の現在値などの状況は見づらく、操作も容易ではない問題点がある。
【０００８】
本発明では、前記の課題を解決するための発明であって、運転監視室に設置される運転監視画面イメージを保持しつつ、複数の監視箇所、操作箇所を簡単な操作で表示することができるプラント運転監視装置およびプラント運転監視画面の表示方法を提供することを目的とする。
【課題を解決するための手段】
【０００９】
前記目的を達成するため、本発明のプラント運転監視装置は、プラントの運転監視画面（例えば、運転監視画面Ｗ８１）内に表示する作画の作画識別ＩＤ（例えば、図５の画面番号３１）ごとに、監視対象の位置座標が複数（例えば、位置座標３２〜３５）登録されている位置座標情報（例えば、位置定義データ３）が記憶される記憶部と、表示装置（例えば、表示入力装置８）に表示される運転監視画面には、監視対象を所定位置になるように作画を表示する指示を受け付ける移動ボタン（例えば、図４の移動ボタン２１）を有し、入力装置（例えば、表示入力装置８）から作画識別ＩＤが入力されると、入力された作画識別ＩＤの作画を運転監視画面に表示し、移動ボタンが押下された場合、位置座標情報に登録されている位置座標を所定位置に合わせて表示された作画を移動して表示し、さらに、移動ボタンが押下された場合、位置座標情報に登録されている次の位置座標を所定位置に合わせて、表示された作画を移動して表示する画面表示手段と、を有することを特徴とする。
【発明の効果】
【００１０】
本発明によれば、運転監視室に設置される運転監視画面イメージを保持しつつ、複数の監視箇所、操作箇所を簡単な操作で表示することができる。
【図面の簡単な説明】
【００１１】
【図１】実施形態１に係るプラント運転監視装置の構成例を示す図である。
【図２】運転監視室の運転監視画面の表示例を示す図である。
【図３】携帯型端末を利用したグラフィック画面の表示例を示す図である。
【図４】プラント運転監視装置のメニュー表示例を示す図である。
【図５】位置定義データの構成を示す図である。
【図６】移動ボタンを押下時のグラフィック画面の表示例を示す図である。
【図７】位置補正手段の処理フローを示す図である。
【図８】位置補正の処理フローを示す図である。
【図９】有効なサイズ算出の処理フローを示す図である。
【図１０】実施形態２に係る大型ディスプレイコミュニケーションシステムのシステム構成例を示す図である。
【図１１】実施形態２に係る位置定義データの構成を示す図である。
【発明を実施するための形態】
【００１２】
以下、本発明の実施形態について図面を参照して詳細に説明する。
〔実施形態１〕
図１は、実施形態１に係るプラント運転監視装置の構成例を示す図である。プラント運転監視装置１０は、位置定義データ３（位置座標情報、図５参照）および作画データ４を記憶する記憶部９と、位置補正手段５、画面表示手段６、操作入力手段７、プラント１からのデータを送受信するプラント入出力手段２、表示入力装置８（表示装置、入力装置）を含んで構成される。
【００１３】
位置補正手段５は、作画データ４から作画情報を取得して、位置定義データ３に基づいた位置補正を行う。画面表示手段６は、位置補正手段５により位置補正された作画データを取りこみ、表示入力装置８へ運転監視画面として表示を行う。また、プラント入出力手段２は、プラント１と無線通信を介してプラントデータの送受信を行い、取得したプラントデータを、画面表示手段６を介してデータ更新を行う。表示入力装置８は、具体的には、キーボードやマウスなどの入力装置が付いており、それらの入力装置を操作することで、操作入力手段７が操作を検出して、画面表示手段６による運転監視画面上の操作を行う。なお、表示入力装置８は、タッチパネル式の画面であり、キーボードなどは画面に表示されることが好ましい。
【００１４】
本実施形態では、位置補正手段５と画面表示手段６とに分けて説明するが、画面表示手段６内の処理機能として位置補正手段５を有していてもよい。
【００１５】
なお、位置補正手段５、画面表示手段６、操作入力手段７の処理は、ＣＰＵ（中央演算処理装置）で実現するとよい。
【００１６】
図２は、運転監視室の運転監視画面の表示例を示す図である。運転監視画面Ｗ８０は、上部メニュー領域１１、下部メニュー領域１２、表示領域１３から構成されている。上部メニュー領域１１は、システム共通のメニューやアラーム表示領域を備えている。下部メニュー領域１２は、表示している画面に対する操作関係のメニューを備えている。グラフィック画面は、表示領域１３のサイズに合わせて、グラフィック画面の作画が行われている。図２の例では、容器Ｔに接続される配管Ｌ（Ｌ１、Ｌ２、Ｌ３）上の弁Ｖ（Ｖ１、Ｖ２、Ｖ３）が表示されている。また、検出器として容器Ｔの温度Ｔ０が表示されている。さらに、タンクＴの流体の貯留量が色づけされて表示されている。
【００１７】
図３は、携帯型端末を利用したグラフィック画面の表示例を示す図である。図３（ａ）は、比較例として図２に示した運転監視室の運転監視画面例である。図３（ｂ）は、携帯型端末を利用したグラフィック画面の表示例である。図３（ａ）の作画データを運転監視室での画素数より少ない画素数の表示入力装置８を用いて、表示位置の調整をしないで出力した例である。図３（ｃ）は、位置定義データ３と作画データ４から取得した監視箇所１４の位置関係を示すものである。出力例においては、監視箇所１４の位置は、所定位置であるグラフィック画面の中心に表示されている。なお、監視箇所１４には、バルブなどの操作箇所も含んでいる。
【００１８】
通常、監視箇所、操作箇所は複数存在するため、運転監視室に設置された運転監視装置の画面イメージを保持しつつ、複数の監視箇所、操作箇所を簡単な操作で表示することが要求される。この要求の解決方法を、図４〜図６を参照して説明する。
【００１９】
図４は、プラント運転監視装置のメニュー表示例を示す図である。携帯型端末を利用したプラント運転監視装置１０の運転監視画面Ｗ８１は、下部メニュー領域１２に移動ボタン２１を有することが特徴である。操作員は、監視箇所、操作箇所を見る際に、移動ボタン２１を押下するごとに、その監視箇所、操作箇所が、グラフィック画面の中心に表示されるように設定されている。
【００２０】
なお、下部メニュー領域１２の欄には、画面表示を拡大する拡大ボタン２２、画面表示を縮小する縮小ボタン２３、移動ボタン２１の押下を初期値に戻すリセットボタン２４がある。また、表示入力装置８（図１参照）から画面番号３１（作画識別ＩＤ）（図５参照）を入力すると、画面を切り換えることができる。
【００２１】
表示領域１３には、容器Ｔに接続される配管Ｌ（Ｌ１、Ｌ２、Ｌ３）上の弁Ｖ（Ｖ１、Ｖ２、Ｖ３）が表示されている。また、弁Ｖの近傍には操作ボタン４１，４２および状態表示４３を有する。操作員は、閉操作の場合に操作ボタン４１（■ボタン）を押下し、開操作の場合に操作ボタン４２（□ボタン）を押下する。その開度が状態表示４３に％表示で表示される。
【００２２】
プラント運転監視装置１０（図１参照）は、既に説明したように、プラント１からの出力信号を受信するとともに、プラント１への入力信号を送信するプラント入出力手段２を有している。画面表示手段６は、監視対象が弁Ｖ３のとき、監視対象の位置座標である弁Ｖ３の近傍の状態表示４３に、受信した出力信号（例えば、１０．０）を表示する。また、プラント入出力手段２は、表示入力手段８であるタッチパネル上の操作ボタン４１，４２の押下の操作入力があると、プラント１への出力信号を送信することができる。なお、弁Ｖ２は、閉状態であり黒く表示され、弁Ｖ１および弁Ｖ３は、開状態であり白く表示されている。
【００２３】
図５は、位置定義データの構成を示す図である。位置定義データ３（位置座標情報）には、運転監視室の運転監視画面の画面番号３１（作画識別ＩＤ）、複数の監視箇所、操作箇所の位置座標３２〜３５（位置１、位置２、位置３、位置４）が行毎に格納されている。位置座標は、画面の左上を原点とし、左方向にＸ座標、下方向にＹ座標で定義されている。
【００２４】
具体的に説明すると、画面番号３１が「３０００」の場合、位置１にＸ座標６００、Ｙ座標３００が登録され、位置２にＸ座標９００、Ｙ座標３００が登録され、位置３にＸ座標１１００、Ｙ座標１０００が登録され、位置４にＸ座標２００、Ｙ座標６００が登録されている。図４に示した移動ボタン２１の押下操作するごとに、位置１、位置２、位置３、位置４と、その監視箇所、操作箇所が、グラフィック画面の中心に表示され、繰り返される。同様に、画面番号３１が「３００１」の場合、位置１にＸ座標３００、Ｙ座標２００が登録されている。位置２、位置３、位置４の位置座標にデータが存在しないときは、監視箇所、操作箇所が登録されていない場合である。
【００２５】
図６は、移動ボタンを押下時のグラフィック画面の表示例を示す図である。ここでは、例えば、運転監視室の運転監視画面Ｗ８０の画素数を１２８０×１０２４とし、プラント運転監視装置１０の運転監視画面Ｗ８１の画素数を１０２４×７６８として説明する。画像データは、運転監視画面Ｗ８０の画面イメージを縮小しないで保持するように設定されている。
【００２６】
図６（ａ）は、運転監視室の運転監視画面Ｗ８０において、画面番号が「３０００」を表示した場合（図５参照）である。監視箇所、操作箇所は、位置１（×）、位置２（□）、位置３（△）、位置４（○）として示している。図６（ｂ）は、プラント運転監視装置１０の運転監視画面Ｗ８１において、運転監視画面Ｗ８０の画面イメージを縮小しないで画面表示した場合である。位置３（△）が見えなくなっている。操作員は、見慣れた表示画面と機器の位置が異なるので、監視箇所、操作箇所を探すのに時間を要することがある。
【００２７】
これに対し、図６（ｃ）は、移動ボタン２１（図４参照）を押下時のプラント運転監視装置１０の運転監視画面Ｗ８１の例である。位置１（×）が所定位置である画面の中心に表示されている。同様に、移動ボタン２１（図４参照）が押下されるごとに、図６（ｄ）では、位置２（□）が所定位置である画面の中心に表示され、図６（ｅ）では、位置３（△）が所定位置である画面の中心に表示され、図６（ｆ）では、位置４（○）が所定位置である画面の中心に表示される。さらに、移動ボタン２１が押下されると、図６（ｃ）〜図６（ｆ）を繰り返す。なお、所定位置は、画面の中心に限定されるわけではなく、操作員が監視しやすい位置であれば、例えば画面の中心から左下側にずれた位置であってもよい。
【００２８】
次に、位置補正手段５の処理フローについて図７〜図９を参照して説明する。
図７は、位置補正手段の処理フローを示す図である。適宜図１を参照して説明する。操作員の操作により運転監視装置への運転監視画面の表示を行った際、位置補正手段５が実行される。処理が開始されると、位置補正手段５は、画面番号に基づいた作画データ４が読込まれ、作画データ４のサイズ（例えば、画素数）の取得が行われ（ステップＳ０１）、表示入力装置８のサイズ（ステップＳ０２）の取得が行われ、作画サイズと出力サイズの比較（ステップＳ０３）が行われる。サイズが等しい場合（ステップＳ０３，＝＝）、処理は終了する。
【００２９】
位置補正手段５は、作画サイズと出力サイズが異なる場合（ステップＳ０３，！＝）、位置定義データ３を取得して（ステップＳ０４）、位置座標の有無を判定して（ステップＳ０５）、位置座標が存在しない場合（ステップＳ０５，なし）、処理を終了する。位置補正手段５は、位置座標が存在した場合（ステップＳ０５，あり）、位置補正の処理（図８参照）を行う（ステップＳ０６）。
【００３０】
図８は、位置補正の処理フローを示す図である。位置補正手段５は、表示入力装置８の出力サイズから中心座標を算出し（ステップＳ１１）、取得した位置座標と中心座標から作画データの移動量を算出する（ステップＳ１２）。位置補正手段５は、作画データの矩形領域と出力サイズの矩形領域との間で、重なりあう部分を有効な表示サイズとして算出する（ステップＳ１３、図９参照）。
【００３１】
位置補正手段５は、有効な表示サイズがあるか否かを判定し（ステップＳ１４）、有効な表示サイズがない場合（ステップＳ１４，ない）、処理を終了する。位置補正手段５は、有効な表示サイズがある場合（ステップＳ１４，ある）、求めた有効な表示サイズと移動量に基づいて、作画データの左上位置を算出し（ステップＳ１５）、同様に表示入力装置８の左上位置を算出する（Ｓ１６）。
【００３２】
図８および図９の処理フローについて、具体的に説明すると、
作画データ３のサイズ      （ＸＳ，ＹＳ）＝（１２８０，１０２４）
表示入力装置８のサイズ    （ＸＤ，ＹＤ）＝（１０２４，  ７６８）
位置座標                  （Ｘ１，Ｙ１）＝（１１００，１０００）
とすると、ステップＳ０１で、作画データのサイズを取得し、ステップＳ０２で表示入力装置８のサイズを取得し、ステップＳ０３において、作画サイズと表示サイズとが異なると判定される。また、ステップＳ０５で、Ｘ１，Ｙ１の位置座標があると判定される。
【００３３】
そして、ステップＳ１１において、表示入力装置８の中心座標は、
Ｘ０，Ｙ０＝（５１２，３８４）となる。
よって、ステップＳ１２において、移動量は、
Ｘ座標移動量ΔＸ＝Ｘ０−Ｘ１＝５１２−１１００＝−５８８
Ｙ座標移動量ΔＹ＝Ｙ０−Ｙ１＝３８４−１０００＝−６１６    となる。
したがって、ステップＳ１５において、作画データの左上位置は、
ＸＳ０＝ＸＳ＋ΔＸ＝１２８０−５８８＝６９２
ＹＳ０＝ＹＳ＋ΔＹ＝１０２４−６１６＝４０８
となる。作画データの左上位置（ＸＳ０，ＹＳ０）を表示入力装置８の左上位置に合わせて表示すればよい。
【００３４】
図９は、有効なサイズ算出の処理フローを示す図である。位置補正手段５は、ステップＳ１２で算出した移動量に基づいて、表示入力装置８の座標系で作画データの位置を変換する（ステップＳ２１）。そして、位置補正手段５は、表示入力装置８の座標系における出力サイズと変換された作画データの位置との間で重複する矩形領域を算出し（ステップＳ２２）、算出した矩形領域から有効なサイズとして、幅と高さを算出する（ステップＳ２３）。
【００３５】
以上により、任意の運転監視画面Ｗ８１の表示に際して、指定された位置座標を中心に表示することが可能となる。また、複数の位置座標の定義が存在した場合、次の位置座標に基づいて、位置補正処理を行うことで、異なる点を中心に表示することが可能となる。
【００３６】
実施形態１では、プラント運転監視装置１０は、記憶部９にグラフィック画面の表示位置を定義した位置定義データ３が記憶されている。また、プラント運転監視装置１０は、位置補正手段５および画面表示手段６を有している。グラフィック画面の表示に際して、位置補正手段５がグラフィック画面の作画サイズと表示入力装置８の出力サイズを比較して、作画サイズと出力サイズが異なる場合、位置補正手段５にて位置補正を行う。位置補正手段５では、対象のグラフィック画面に対して、位置定義データ３から表示位置を取得し、表示入力装置８の出力サイズから中心位置を算出して、有効な表示サイズを求める。求められたサイズと補正位置に基づいて、画面表示手段６は、グラフィック画面の表示を行う。また、位置定義データ３に複数の位置座標が存在する場合、メニュー部の移動ボタン２１の操作により、次の定義位置への移動できる。なお、既に説明したが、画面表示手段６内の処理機能として位置補正手段５を有していてもよい。
【００３７】
本実施形態では、グラフィック画面の作画サイズより出力サイズが小さい場合においても、操作員の意図に沿った定義された位置座標でグラフィック画面を表示することで、見やすさや操作性を損なうことが無くなる。異なる出力サイズの装置間において、運転監視室の装置と同等な見易さや操作を行うことが可能である。
【００３８】
〔実施形態２〕
実施形態２は、運転監視室に設置される運転監視の大型画面イメージを保持しつつ、複数の監視箇所、操作箇所を簡単な操作で表示することができることを説明する。
【００３９】
一般にプラント監視制御システムでは、監視対象が多岐にわたるために大型画面を用いる（以下、表示される対象物としては、画面とディスプレイは同義）。すなわち、この大型画面には、複数の操作員が共有すべき情報、あるいは、マルチメディア情報が表示される。すなわち、操作者は大型画面に表示されたプラントの運転情報（各弁の開閉システム、バルブの圧力など）を目視し、例えば、異常があった場合に操作対象を操作する。
【００４０】
図１０は、実施形態２に係る大型ディスプレイコミュニケーションシステムのシステム構成例を示す図である。図１０（ａ）に示す大型ディスプレイコミュニケーションシステムは、大型マルチディスプレイ装置１００と、マルチスクリーンコントローラ１１０（分割画像信号生成手段）とから構成される。
【００４１】
マルチスクリーンコントローラ１１０は、ＣＰＵ１０１（中央演算処理装置）、主メモリ１０２、ハードデイスク１０３を搭載しており、監視制御向け計算機を構成している。さらに、ハードウェアとしてマルチグラフィックボード１０５を搭載する。マルチグラフィックボード１０５は、ＲＧＢ画像信号をｎ系統出力することができる。これにより、ＣＰＵ１０１が１つであっても、大型マルチディスプレイ装置１００（大型ディスプレイ装置１１１，１１２，１１３の集合体をいう。）ヘの画像信号出力が１つの計算機からできるようになる。
【００４２】
ＣＰＵ１０１は、画像信号生成手段の処理を実行し、画面情報を出力すると、マルチグラフィックボード１０５は、例えば３つのＲＧＢ画像信号に分けてそれぞれの大型ディスプレイ装置１１１，１１２，１１３に対象とする画像信号を出力する。そのため、監視者は、３つの大型ディスプレイ装置１１１，１１２，１１３の画面が組み合わさったものが視覚上あたかも１つの画面を見ているかのようになる。本実施形態では、大型マルチディスプレイ装置１００が横３面で構成されている場合を説明する。
【００４３】
大型マルチディスプレイ装置１００の構成は、Ｍ行Ｎ列で、また単面あたりの画像サイズを縦横の画素値で与えられる。なお、マルチスクリーンコントローラ１１０の単面あたりの既存の画素値１２８０×１０２４が用いられている。本実施形態の横３面構成の場合は、１行３列となる。
【００４４】
３列という構成情報により、作画データメモリ１０９にある作画データを１２８０×１０２４ドットを１枚とする作画データを３枚切り出す。例えば、構成情報が２行４列の８面マルチディスプレイであれば、作画データメモリ１０９の作画データを８枚切り出す。ここで、複数面の作画データを有しているマルチスクリーンコントローラ１１０は、ＲＧＢ画像信号をｎ系統出力することができる。
【００４５】
図１０（ｂ）に示す３面作画データ３０１は、切出し編集によって、３つの作画、すなわち、左面作画データ３０２、中央面作画データ３０３、右面作画データ３０４に分割される。大型ディスプレイコミュニケーションシステムは、ネットワークを介して、分割された作画データ（左面作画データ３０２，中央面作画データ３０３，右面作画データ３０４）をプラント運転監視装置１０の記憶部９（図１参照）に登録する。
【００４６】
図１１は、実施形態２に係る位置定義データの構成を示す図である。位置定義データ３Ａには、大型マルチディスプレイ装置１００の画面番号３１Ａ、複数の監視箇所、操作箇所のパネルＩＤ（ディスプレイ識別ＩＤ）に関連付けられた位置座標３２Ａ〜３５Ａ（位置１、位置２、位置３、位置４）が行毎に格納されている。位置座標は、画面の左上を原点とし、右方向にＸ座標、下方向にＹ座標で定義されている。
【００４７】
具体的に説明すると、画面番号３１Ａが「５０００」の場合、位置座標３２Ａには、パネルＩＤ（ディスプレイ識別ＩＤ）が「Ｐ０１」（左面に対応）、位置１としてＸ座標６００、Ｙ座標３００が登録され、位置座標３３Ａには、パネルＩＤが「Ｐ０２」（中央面に対応）、位置２としてＸ座標３００、Ｙ座標５００が登録され、位置座標３４Ａには、パネルＩＤが「Ｐ０２」（中央に対応）、位置３としてＸ座標１０００、Ｙ座標１０００が登録され、位置座標３５Ａには、パネルＩＤが「Ｐ０３」（右面に対応）、位置４としてＸ座標２００、Ｙ座標６００が登録されている。
【００４８】
図４に示した移動ボタン２１の押下操作するごとに、左面の位置１、中央面の位置２、中央面の位置３、右面の位置４と、その監視箇所、操作箇所が、グラフィック画面の中心に表示され、繰り返される。
【００４９】
実施形態２のプラント運転監視装置１０（図１参照）は、大型マルチディスプレイ装置１００用に作成された作画を扱うものであり、表示対象は複数のディスプレイに表示する作画である。表示対象の作画ごとに、ディスプレイを識別するディスプレイ識別ＩＤ（例えば、パネルＩＤ）と監視対象の位置座標とが複数登録されている位置座標情報（例えば、位置定義データ３Ａ）を記憶する記憶部９を有する。また、表示装置（例えば、表示入力装置８）に表示される運転監視画面には、監視対象を運転監視画面の所定位置になるように作画を表示することを指示する移動ボタン２１（図４参照）を有する。プラント運転監視装置１０は、入力手段（例えば、表示入力装置８）からディスプレイ識別ＩＤが入力されると、入力されたディスプレイ識別ＩＤの作画を運転監視画面に表示し、移動ボタン２１が押下された場合、位置座標情報に登録されている最初のディスプレイ識別ＩＤの作画を、位置座標を所定位置に合わせて移動して表示し、さらに、移動ボタン２１が押下された場合、位置座標情報に登録されている次のディスプレイ識別ＩＤの作画を、位置座標を所定位置に合わせて表示する画面表示手段６を有する。
【００５０】
このように、実施形態２では、大型マルチディスプレイ装置１００の表示内容に合わせて、運転監視画面Ｗ８１（図４参照）の表示に際して、指定された位置座標を中心に表示することが可能となる。また、複数の位置座標の定義が存在した場合、次の位置座標に基づいて、位置補正処理を行うことで、異なる点を中心に表示することが可能となる。
【符号の説明】
【００５１】
１    プラント
２    プラント入出力手段
３    位置定義データ（位置座標情報）
４    作画データ（作画）
５    位置補正手段
６    画面表示手段
７    操作入力手段
８    表示入力装置（表示装置、入力装置）
９    記憶部
１０    プラント運転監視装置
１１    上部メニュー領域
１２    下部メニュー領域
１３    表示領域
２１    移動ボタン
３１    画面番号（作画識別ＩＤ）
Ｗ８０，Ｗ８１    運転監視画面
【図１】
2015026158.tif 000003
【図２】
2015026158.tif 000004
【図３】
2015026158.tif 000005
【図４】
2015026158.tif 000006
【図５】
2015026158.tif 000007
【図６】
2015026158.tif 000008
【図７】
2015026158.tif 000009
【図８】
2015026158.tif 000010
【図９】
2015026158.tif 000011
【図１０】
2015026158.tif 000012
【図１１】
2015026158.tif 000013